【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
複数の光ポート及び複数の光パワー素子を備える、波長選択スイッチアレイ用の入力部であって、
前記複数の光ポートは、
複数の第１のポート光軸を有する複数の第１の下位光ポートと、
複数の第２のポート光軸を有する複数の第２の下位光ポートと
を備え、
前記複数の光パワー素子の各々が、前記複数の光ポートのうち対応する光ポートの一端に配設され、前記複数の光パワー素子は、
前記複数の第１のポート光軸に対して変位される複数の第１の光パワー素子光軸を有する複数の第１の下位光パワー素子と、
前記複数の第２のポート光軸に対して変位される複数の第２の光パワー素子光軸を有する複数の第２の下位光パワー素子と
を備える、入力部。
【請求項２】
前記複数の光パワー素子は、レンズピッチを有するマイクロレンズアレイである、請求項１に記載の入力部。
【請求項３】
前記複数の第１の下位光ポートは、前記マイクロレンズアレイの前記レンズピッチに対応するポートピッチを有する、請求項２に記載の入力部。
【請求項４】
前記複数の第２の下位光ポートは、前記マイクロレンズアレイの前記レンズピッチに対応するポートピッチを有する、請求項２又は３に記載の入力部。
【請求項５】
複数の第１のポート光軸に対する変位は、実質的に正のｙ方向における変位である、請求項１〜４のいずれか一項に記載の入力部。
【請求項６】
複数の第２のポート光軸に対する変位は、実質的に負のｙ方向における変位である、請求項１〜５のいずれか一項に記載の入力部。
【請求項７】
複数の第２のポート光軸に対する変位は、複数の第１のポート光軸に対する変位とは異なる変位である、請求項１〜６のいずれか一項に記載の入力部。
【請求項８】
前記複数の光ポートは複数の光ファイバーを備える、請求項１〜７のいずれか一項に記載の入力部。
【請求項９】
第１の光波長分割多重（ＷＤＭ）信号及び第２のＷＤＭ信号をスイッチングするための波長選択スイッチ（ＷＳＳ）アレイであって、前記波長選択スイッチ（ＷＳＳ）アレイは、入力部と、ビーム変更素子と、光学系とを備え、
前記入力部は、複数の光ポートと、複数の光パワー素子とを備え、
前記複数の光ポートは、
前記第１のＷＤＭ信号を入力するように構成され、かつ、第１の入力ポート光軸を有する第１の入力ポートと、
前記第２のＷＤＭ信号を入力するように構成され、かつ、第２の入力ポート光軸を有する第２の入力ポートと
を備え、
前記複数の光パワー素子の各々は、前記複数の光ポートのうち対応する光ポートの一端に配設され、前記複数の光パワー素子は、
前記第１のポート光軸に対して第１の変位量だけ変位される第１の光パワー素子光軸を有する第１の光パワー素子と、
前記第２のポート光軸に対して第２の変位量だけ変位される第２の光パワー素子光軸を有する第２の光パワー素子と
を備え、
前記第１の変位量は、前記第１の入力ポートを出た後に前記第１のＷＤＭ信号の第１の変位角度をもたらし、
前記第２の変位量は、前記第２の入力ポートを出た後に前記第２のＷＤＭ信号の第２の変位角度をもたらし、
前記ビーム偏向素子は、第１及び第２のＷＤＭ信号の１つ又は複数の波長チャネルを偏向させるように構成され、
前記光学系は、前記入力部と前記ビーム偏向素子との間に配置され、前記光学系は、
前記第１及び第２の角度で出力される前記第１及び第２のＷＤＭ信号をそれぞれ受信し、
受信された第１及び第２のＷＤＭ信号を第１及び第２の組の波長チャネルにそれぞれスペクトル分散させ、かつ、
前記第１の組の波長チャネルを前記ビーム偏向素子の第１の部分上に、また、前記第２の組の波長チャネルを前記ビーム偏向素子の第２の部分上に投影するように構成される、波長選択スイッチ（ＷＳＳ）アレイ。
【請求項１０】
前記複数の光パワー素子は、レンズピッチを有するマイクロレンズアレイである、請求項９に記載の波長選択スイッチ（ＷＳＳ）。
【請求項１１】
前記入力部の複数の第１の下位光ポートは、前記マイクロレンズアレイの前記レンズピッチに対応するポートピッチを有する、請求項１０に記載の波長選択スイッチ（ＷＳＳ）。
【請求項１２】
前記入力部の複数の第２の下位光ポートは、前記マイクロレンズアレイの前記レンズピッチに対応するポートピッチを有する、請求項１０又は１１に記載の波長選択スイッチ（ＷＳＳ）。
【請求項１３】
第１のポート光軸に対する変位は、実質的に正のｙ方向における変位である、請求項９〜１２のいずれか一項に記載の波長選択スイッチ（ＷＳＳ）。
【請求項１４】
第２のポート光軸に対する変位は、実質的に負のｙ方向における変位である、請求項１３に記載の波長選択スイッチ（ＷＳＳ）。
【請求項１５】
第１のポート光軸に対する変位は第２のポート光軸に対する変位とは異なる、請求項９〜１４のいずれか一項に記載の波長選択スイッチ（ＷＳＳ）。
【請求項１６】
前記複数の光ポートは複数の光ファイバーを備える、請求項９〜１５のいずれか一項に記載の波長選択スイッチ（ＷＳＳ）。
【請求項１７】
前記ビーム偏向素子は液晶空間光変調器である、請求項９〜１６のいずれか一項に記載の波長選択スイッチ（ＷＳＳ）。
【請求項１８】
前記ビーム偏向素子は液晶オンシリコン空間光変調器である、請求項９〜１６のいずれか一項に記載の波長選択スイッチ（ＷＳＳ）。
【請求項１９】
波長選択スイッチ（ＷＳＳ）アレイを使用して複数の光波長分割多重（ＷＤＭ）信号の１つ又は複数の波長チャネルをルーティングする方法であって、該方法は、
前記ＷＳＳアレイの第１のＷＳＳの第１の入力ポートから第１のＷＤＭ信号を受信する工程と、
前記ＷＳＳアレイの第２のＷＳＳの第２の入力ポートから第２のＷＤＭ信号を受信する工程と、
前記第１のＷＤＭ信号を第１の角度に沿って方向付けるために、前記第１のＷＤＭ信号に前記第１の入力ポートの光軸から変位した光軸を有する第１の光パワー素子を通過させる工程と、
前記第２のＷＤＭ信号を第２の角度に沿って方向付けるために、前記第２のＷＤＭ信号に前記第２の入力ポートの光軸から変位した光軸を有する第２の光パワー素子を通過させる工程と、
方向転換済みの前記第１及び第２のＷＤＭ信号にレンズを通過させる工程であって、前記レンズは、前記第１及び第２の角度を、前記レンズの焦点面に配置されるビーム偏向素子の表面上における第１及び第２の変位に変換するように構成される、工程と、
方向転換済みの前記第１及び第２のＷＤＭ信号から少なくとも第１及び第２の波長チャネルをそれぞれ角度分散させるために、方向転換済みの前記第１及び第２のＷＤＭ信号に分散素子を通過させる工程と、
前記第１及び第２の波長チャネルを、前記ビーム偏向素子の第１及び第２の空間部分上にそれぞれ集光させる工程と、
前記第１のＷＤＭ信号の少なくとも１つの波長チャネルを、前記ビーム偏向素子によって第３の角度に沿って偏向させる工程と、
前記第２のＷＤＭ信号の少なくとも１つの波長チャネルを、前記ビーム偏向素子によって第４の角度に沿って偏向させる工程と、
前記第３及び第４の角度を前記第１及び第２の角度にそれぞれ変換するために、前記第１及び第２のＷＤＭ信号の偏向済みの前記少なくとも１つの波長チャネルに、前記分散素子及び前記レンズを通って戻らせる工程と、
前記第１及び第２のＷＳＳの第１及び第２の出力ポートからそれぞれ出るように、前記第１及び第２のＷＤＭ信号の偏向済みの前記少なくとも１つの波長チャネルをそれぞれルーティングする工程と
を含む方法。
【請求項２０】
前記偏向させる工程が液晶空間光変調器を使用して達成される、請求項１９に記載の方法。
【請求項２１】
前記第１及び第２の光パワー素子がマイクロレンズアレイのマイクロレンズである、請求項１９又は２０に記載の方法。